(57)【要約】      （修正有）【課題】財布に収納された各種小銭の識別、取り出し、収納を迅速、正確、用意に行うことが出来る財布を提供する。【解決手段】柔軟な素材のシートで形成した引き上げシート１を二つ折りにし、折れた外側の折れ目を下にして財布の小銭入れ２の中に挿入し、引き上げシート１の一端の辺を小銭入れ２の入り口上部に接合し、シートの他端を引くことで引き上げシート１が上下に動くように構成し、引き上げシート１の表面広範囲に多数の孔や凹凸を形成し、摩擦力を強めたことを特徴とする小銭引き上げ財布。また、引き上げシート１の折れた内側の一面をなめらかなシートで形成し、また小銭入れ２の内部にストッパーを取り付けた。引き上げシート１が接触する小銭入れ２の入り口の前一端２ａ部分に、表面広範囲に多数の孔や凹凸を形成した摩擦力の強いシートを接合したことを特徴とする小銭引き上げ財布を提供する。【選択図】図１
2017070699.tif 000002
【特許請求の範囲】
【請求項１】
柔軟な素材のシートで形成した引き上げシート（１）を二つ折りにし、折れた外側の折れ目を下にして財布の小銭入れ（２）の中に挿入し、引き上げシート（１）の一端の辺を小銭入れ（２）の入り口上部に接合し、シートの他端を引くことで引き上げシート（１）が上下に動くように構成した小銭引き上げ財布において引き上げシート（１）の表面広範囲に多数の孔や凹凸を形成し、摩擦力を強めたことを特徴とする小銭引き上げ財布。
【請求項２】
請求項１の小銭引き上げ財布において、引き上げシート（１）の折れた内側の一面をなめらかなシート（９）で形成し、また小銭入れ（２）の内部にストッパー（８）を取り付けた小銭引き上げ財布。
【請求項３】
請求項１または２記載の小銭引き上げ財布において引き上げシート（１）が接触する小銭入れの（２）の入り口の前一端（２ａ）部分に、表面広範囲に多数の孔や凹凸を形成した摩擦力の強いシートを接合したことを特徴とする小銭引き上げ財布。
【発明の詳細な説明】
【技術分野】
【０００１】  本発明は、財布に収納された各種小銭の識別、取り出し、収納を迅速、正確、用意に行うことが出来る財布に関するものである。
【背景技術】
【０００２】  従来の財布では一つの財布の内部で札と小銭の収納部分が仕切られ区別されているものが多かった。小銭と札の収納部分は同じ深さのものがほとんどであった。小銭は札よりも小さく重量があるため収納部分の底に重なって溜まりやすい。またその部分は狭く各種小銭の識別や取出しが困難になりがちであった。このことは人で混雑しやすいレジ前の支払いにおいて不利となっていた。すばやく、正確な小銭の取出しができないため買い物の値段の端数が支払いにくく時間がかかり待ち時間を短くしたい自分にも他人にもストレスとなっていた。【０００３】  前記記載の状況を改善するため財布の小銭入れの底を特別に浅く形成し取り出しやすくしたものがあった（特許文献１参照）。【０００４】  また小銭入れの中にそれを持ち上げるシートを設置し支払いの際に小銭を財布の底から引き上げて取り出しやすくし、シートはそれ自身と小銭入れ入り口に設置された磁石同士の磁力による接合にて引き上げたまま保持するものもあった（特許文献２参照）。
【先行技術文献】
【特許文献】
【０００５】
【特許文献１】特開２０１３−９４４６２号公報
【特許文献２】特開２０１２−００５８１０号公報
【発明の概要】
【発明が解決しようとする課題】
【０００６】  そのため、次のような問題点があった。
（イ）小銭入れの底を特別に浅くしたため、従来の深いままより小銭を入れる量が減ってしまう問題点があった。
（ロ）小銭を引き上げるシートを形成したが、それを引き上げたまま保持するのに磁石を使っているため、シートに磁石を取り付ける製造工程が必要である。また磁力での接合を引き離すのに力が必要である。磁力は時と共に劣化するなどの問題点があった。本発明はこれらの問題を解決するためになされたものである。
【課題を解決するための手段】
【０００７】  柔軟な素材のシートで形成した引き上げシート（１）を二つ折りにし、折れた外側の折れ目を下にして財布の小銭入れ（２）の中に挿入し、引き上げシート（１）の一端の辺を小銭入れ（２）の入り口上部に接合し、シートの他端を引くことで引き上げシート（１）が上下に動くように構成した小銭引き上げ財布において引き上げシート（１）の表面広範囲に多数の孔や凹凸を形成し、摩擦力を強めたことを特徴とする小銭引き上げ財布。また、前記の小銭引き上げ財布において、引き上げシート（１）の折れた内側の一面をなめらかなシート（９）で形成し、また小銭入れ（２）の内部にストッパー（８）を取り付けた小銭引き上げ財布。また、前記および前々記の小銭引き上げ財布において、引き上げシート（１）が接触する小銭入れの（２）の入り口の前一端（２）ａ部分に、表面広範囲に多数の孔や凹凸を形成した摩擦力の強いシート（１０）を接合したことを特徴とする小銭引き上げ財布。
【発明の効果】
【０００８】  課題で示した（イ）の問題を引き上げシート（１）を小銭入れの中に挿入し、従来の深い底の小銭入れのままで小銭だけが浅い上部に引き上げられるようにして解決した。
課題で示した（ロ）の問題は引き上げシート（１）を摩擦力の強いシートで形成することにより解決した。引き上げシート（１）には何かを取り付ける製造工程は必要ではない。また引き上げシート（１）は小銭入れの入れ口の端との接触の摩擦力だけで引き上げられたまま保持される。また摩擦力の解除は接触を引き離すだけで良く、余分な力は必要ない。
【図面の簡単な説明】
【０００９】
【図１】本発明の財布の蓋を開放した状態を表す斜視図
【図２】本発明の中央部分の横断面図
【図３】本発明の中央部分の横断面図
【図４】本発明の中央部分の横断面図
【図５】本発明の中央部分の横断面図
【図６】本発明の中央部分の横断面図
【図７】本発明の中央部分の横断面図
【図８】本発明の中央部分の横断面図
【発明を実施するための形態】
【００１０】  以下、本発明の実施の形態について説明する。
図１は本発明の斜視図である。全体は財布であり蓋（６）を持ち、仕切り（４）で札入れ（５）と小銭入れ（２）に仕切られている。（７）は財布の横に布などが接合された側面である。引き上げシート（１）は表面の広範囲に多数の孔（Ｈ）が開き、凹凸（Ｉ）が形成された摩擦力が強く柔軟な素材のシートで形成する。引き上げシート（１）は全体が摩擦力の強いシートで形成されているため接触している（１ａ）部分と小銭入れ（２）の入り口の前一端（２ａ）部分には強い摩擦力が生じる。引き上げシート（１）の一端（１ｂ）部分の辺は（２）の小銭入れの入り口（２ｂ）部分の辺に接合される。引き上げシート（１）は（１ｃ）部分で二つ折りにされ小銭入れ（２）内部に挿入されている。各種の小銭（３）は引き上げシート（１）の上に置かれている。引き上げシート（１）は（１ａ）の部分の辺と小銭入れ（２）の入り口の前一端（２ａ）部分の辺が接触している摩擦力により（１ｃ）部分を小銭入れ（２）の中空でとどめ小銭（３）を引き上げたままになっている。本発明は以上のような構成である。
【００１１】  これを使用するときは、以下のように行う。図２は本発明が小銭（３）を収納した状態の中央部分の横断面図である。各種の小銭（３）は二つ折りにされた引き上げシート（１）の（１ｃ）上にあり小銭入れ（２）の底部に収納されている。引き上げシート（１）は（１ｂ）部分の一端の辺が小銭入れ（２）の入り口（２ｂ）部分の辺に接合されている。引き上げシート（１）と小銭入れ（２）は上記部分でのみ接合され他の部分では接合されていない。
【００１２】  図３は小銭（３）を引き上げたときの本発明の中央部分の横断面図である。引き上げシート（１）の取っ手（１ｅ）を手指などで把持して矢印Ｙ方向に引くことにより（１ｃ）部分は小銭入れ（２）の底部（２ｃ）より高さＡの上部にまで引き上げられる。必然的に（１ｃ）の上に置かれた小銭（３）も引き上げられることとなる。引き上げシート（１）は全体が表面広範囲に多数の孔（Ｈ）や凹凸（Ｉ）を形成した摩擦力の強いシートで形成されているため接触している（１ａ）部分と（２ａ）部分には強い摩擦力が生じる。上記摩擦力は手指を離し、矢印Ｙ方向の力がなくなった後でも引き上げ手段（１）の（１ｃ）部分を高さＡにとどめたままにする。これにより小銭（３）もまた高さＡにとどまったままであり、上から見る人の視線に近く識別が容易になる。また底部（２ｃ）にあるより手指で取り出しもし易くなる。
【００１３】  図４と図５は本発明の引き上げシート（１）を実際に操作した場合をまったく同一物の本発明を使って２例比較した本発明の中央部分の横断面図である。図４は引き上げシート（１）を高さＢまで引き上げ、図５は引き上げシート（１）を高さＣまで引き上げている。図４は小銭（３）の数が多い場合の操作例である。小銭の数が多いため引き上げシート（１）を低い高さＢまで引き上げれば小銭（３）は識別、取出しが容易である。むしろ、高い高さＣまで引き上げると小銭（３）が小銭入れ（２）よりこぼれ落ちる恐れがある。
図５は前記と逆で小銭（３）が少ない場合の操作例である。引き上げシート（１）は低い高さＢでは識別、取り出しが難しく、高い高さＣまで引き上げる必要がある。しかし小銭（３）が少ないためその高さで小銭（３）が小銭入れ（２）よりこぼれ落ちる恐れはない。
低い高さＢ、高い高さＣはそれぞれ小銭シート（１）を引き上げた長さＭ、Ｌの違いによって生じる。長さＭは長さＬより短い。よって同一物の本発明の二例であるが図４の（１ａ）と図５の（１ａ’）の引き上げシート（１）上で選択された位置は異なっている。異なったそれぞれの位置でも本発明の小銭引き上げ財布は小銭（３）を引き上げたまま静止できる機能を発揮することが出来る。その理由は本発明の引き上げシート（１）が表面の広範囲にわたって多数の孔（Ｈ）や凹凸（Ｉ）が形成されている摩擦力の強いシートであり、どの部分の位置でも強い摩擦力があるからである。このことは、図４、図５で示したように小銭（３）の数の多少によって適切に引き上げシート（１）を操作することに役立っており本発明の他の発明にはない利点となっている。
【００１４】  図６は本発明において小銭（３）を小銭入れ（２）に再び収納する場合の本発明の中央部分の横断面図である。図３において小銭（３）をＡの高さに保持しているのは小銭入れ（２ａ）部分と引き上げシート（１ａ）の接触による摩擦力だけである。よって手指Ｔによって（１ａ）と（２ａ）部分を引き離しかつその間に手指Ｔを底部（２ｃ）に向かって挿入すると（１ａ）と（２ａ）部分の間の摩擦力は引き離すための特別な力も必要なく直ちになくなり、引き上げシート（１）は小銭（３）を収納した図２の状態に戻ることになる。このことは小銭のすばやい取り出し、収納を可能にするものであり、買い物の際に支払いのための端数料金の小銭をすばやく識別、取り出し、かつ受け取った小銭のお釣りをすばやくもとの財布の中に収納するのに役立つ。
【００１５】  図７は本発明をさらに使いやすく改良した場合の中央部分の横断面図である。財布の小銭入れ（２）内部に突出するように構成したストッパー（８）を財布の側面（７）の任意の位置に接合する。これにより引き上げシート（１）はストッパー（８）にＹ方向に引き出す途中で引っかかりそれ以上引くことが出来なくなる。小銭（３）は高さＤの位置を保持したままとなる。これにより引き上げシート（１）をＹ方向に引きすぎて高さＥとなり小銭（３）が小銭入れ（２）外にこぼれ落ちるのを防ぐことができる。また引き上げシート（１）の表面に滑らかなシート（９）を貼り付ける。引き上げシート（１）は全体が摩擦力の強いシートで形成されている。そのため小銭（３ｃ）のように摩擦カで小銭が財布の長い面に垂直な位置で立ち上がってしまい収納に難を生じることがある。その対策として滑らかなシート（９）を引き上げシート（１）の表面に貼り付ける。その結果小銭（３）にかかる摩擦力は弱くなり（３ｄ）のように常に財布の長い面に平行に位置することとなる。これは小銭の収納をスムーズに行うのに役立つ。
【００１６】  図８もまた本発明をさらに使いやすく改良した場合の中央部分の横断面図である。引き上げシート（１）が接触する小銭入れの（２）の入り口の前一端（２ａ）部分に表面に多数の孔や凹凸を形成した摩擦力の強いシート（１０）を接合している。（２ａ）部分の摩擦力を強くした構造になっている。このことは引き上げシート（１）に形成された孔（Ｈ）や凹凸（Ｉ）が磨耗したり、数が少なかったり、なかったりする場合においても（１ａ）部分と（２ａ）部分の摩擦力を強いままに保持して本発明の機能を維持するのに役に立つ。
【符号の説明】
【００１７】  （１）    引き上げシート
（２）    小銭入れ
（３）    小銭
（４）    仕切り
（５）    札入れ
（６）    蓋
（７）    側面
（８）    ストッパー
（９）    滑らかなシート
（１０）  摩擦力の強いシート
Ａ，Ｂ    高さ
Ｃ，Ｄ    高さ
Ｍ，Ｌ    長さ
Ｈ        孔
Ｉ        凹凸
Ｙ        力の方向
Ｔ        手指
【図１】
2017070699.tif 000003
【図２】
2017070699.tif 000004
【図３】
2017070699.tif 000005
【図４】
2017070699.tif 000006
【図５】
2017070699.tif 000007
【図６】
2017070699.tif 000008
【図７】
2017070699.tif 000009
【図８】
2017070699.tif 000010